(57)【特許請求の範囲】
【請求項１】
薄型のフード本体と、
このフード本体の上面に設置し内部に送風機を備えた送風機ユニットと、
この送風機ユニットの上部を壁面に取付ける取付手段を備え、
前記フード本体の背面カバーは、
上端にヒンジ部、下端に折り曲げ部を設け、この折り曲げ部が前記フード本体下面に沿って摺動することを特徴とするレンジフード。
【発明の詳細な説明】
【技術分野】
【０００１】
本発明は、調理機器の上方に設置され、調理時に発生する油煙を捕集して屋外に排気するレンジフードに関する。
【背景技術】
【０００２】
従来、この種のレンジフードとして、図１０及び図１１に示すレンジフードが知られている（例えば、特許文献１参照）。
【０００３】
図１０及び図１１に示すレンジフードは、フード本体１０１と、送風機ボックス１０２と、送風機ボックス１０２内の遠心送風機１０３と、送風機ボックス１０２の上面に取り付けられたＬ字型の吊金具１０４とで構成され、調理器上方の壁面１０５に取付ねじ１０６で固定される。
【０００４】
フード本体１０１の背面板１０７にナット１０８を取り付け、このナット１０８にフード本体１０１内側より壁面１０５側へ、調整ねじ１０９を締め付け、その調整ねじ１０９の先端部が壁面１０５に接するようにする。
【０００５】
この調整ねじ１０９の締め付け量を調整し、調整ねじ１０９の背面板１０７からの突出量を調整することで、フード本体１０１が、吊金具１０４の固定部分を支点として上向き、下向きに傾動するから、壁面１０５が傾いている場合でも、フード本体１０１を水平な姿勢とすることができる。
【先行技術文献】
【特許文献】
【０００６】
【特許文献１】特開２００９−１４２７８号公報
【発明の概要】
【発明が解決しようとする課題】
【０００７】
このような従来のレンジフードでは、姿勢を調整する機構があるが、レンジフード取り付け壁面は、防火上、硬度が低い石膏ボート等となっていることが多く、そのような壁面に対しては、調整ねじ先端が壁内に入り込んで姿勢を調整できなくなるという課題があった。
【０００８】
本発明は、このような従来の課題を解決するものであり、硬度が低い壁面に対しても姿勢を確実に調整することができるレンジフードを提供することを目的としている。
【０００９】
また、調整ねじ先端と壁面の摩擦力により、調整ねじの締め付けに大きなトルクが必要になるという課題があった。
【００１０】
本発明は、このような従来の課題を解決するものであり、小さな締め付けトルクで調整ねじを締め付け、姿勢を調整することができるレンジフードを提供することを目的としている。
【００１１】
また、遠心送風機の運転による振動が、調整ねじ先端を通じて壁面に伝わり、振動音が発生するという課題があった。
【００１２】
本発明は、このような従来の課題を解決するものであり、遠心送風機の振動が壁面に伝わりにくく、姿勢を調整することができるレンジフードを提供することを目的としている。
【００１３】
また、フード本体内側に調整ねじが突出し、調理による油汚れが拭き取りにくくなるという課題があった。
【００１４】
本発明は、このような従来の課題を解決するものであり、調理による油汚れが拭き取りにくくなることなく、姿勢を調整することができるレンジフードを提供することを目的としている。
【００１５】
また、フード本体背面と壁面との間に隙間が生じ、外観を損なうという課題があった。
【００１６】
本発明は、このような従来の課題を解決するものであり、外観を損なわず、姿勢を調整することができるレンジフードを提供することを目的としている。
【００１７】
また、姿勢の調整機構をフード本体に設けていたため、汎用的ではなく、フード本体の形状が変わるごとに新たに設計しなければならないという課題があった。
【００１８】
本発明は、このような従来の課題を解決するものであり、フード本体の形状が変わっても、汎用的な構造で、姿勢を調整することができるレンジフードを提供することを目的としている。
【課題を解決するための手段】
【００１９】
本発明のレンジフードは上記目的を達成するために、薄型のフード本体と、このフード本体の上面に設置し内部に送風機を備えた送風機ユニットと、この送風機ユニットの上部を壁面に取付ける取付手段を備え、前記フード本体の背面下部には、フード本体を貫通するようねじ孔を設け、前記フード本体の背面からの突出長さを調整できるようフード本体内側から調整ねじを取り付け、この調整ねじ先端と前記壁面の間に前記調整ねじ先端が前記壁面に直接接触しないように緩衝板を設け、この緩衝板の前記調整ねじ先端に対応する部分を曲面としたものである。
【００２０】
この手段により、調整ねじが緩衝板を介して壁面を押すため、調整ねじ先端が壁面に入り込むことなく、フード本体の姿勢を確実に調整することができるレンジフードが得られる。
【００２１】
また、他の手段は、緩衝板を回転自在としたものである。
【００２２】
この手段により、小さな締め付けトルクで調整ねじを締め付け、フード本体の姿勢を調整することができるレンジフードが得られる。
【００２３】
また、緩衝板の一端をフード本体に取り付けたものである。
【００２４】
この手段により、調整ねじ先端が壁面に入り込むことなく、かつ、調整ねじを市販のねじを使用して、フード本体の姿勢を確実に調整することができるレンジフードが得られる。
【００２５】
また、他の手段は、緩衝板の、壁面との接触面に振動吸収材を取り付けたものである。
【００２６】
この手段により、遠心送風機の運転による振動が、調整ねじ先端を通じて壁面に伝わり、振動音が発生することなく、フード本体の姿勢を確実に調整することができるレンジフードが得られる。
【００２７】
また、他の手段は、フード本体の背面に、緩衝板が収納できる凹部を設けたものである。
【００２８】
この手段により、調整ねじが緩められている場合に緩衝板がフード本体背面から出っ張らず、フード本体先端が上向きになることがなく、フード本体の姿勢を調整することができるレンジフードが得られる。
【００２９】
また、他の手段は、フード本体の内側に調整ねじを隠す遮蔽板を設けたものである。
【００３０】
この手段により、調理による油汚れが拭き取りにくくなることなく、フード本体の姿勢を調整することができるレンジフードが得られる。
【００３１】
また、他の手段は、フード本体の背面下端に、前記フード本体の背面下端と壁面との隙間を埋めるための弾性体を貼り付けたものである。
【００３２】
この手段により、フード本体背面と壁面との間の隙間を塞ぎ、外観を損なうことなく、フード本体の姿勢を調整することができるレンジフードが得られる。
【００３３】
また、他の手段は、薄型のフード本体と、このフード本体の上面に設置し内部に送風機を備えた送風機ユニットと、この送風機ユニットの上部を壁面に取付ける取付手段を備え、前記フード本体の背面カバーは、上端にヒンジ部、下端に折り曲げ部を設け、この折り曲げ部が前記フード本体下面に沿って摺動するものである。
【００３４】
この手段により、フード本体背面と壁面との間の隙間を塞ぎ、外観を損なうことなく、フード本体の姿勢を調整することができるレンジフードが得られる。
【００３５】
また、他の手段は、薄型のフード本体と、このフード本体の上面に設置し内部に送風機を備えた送風機ユニットと、この送風機ユニットの上部を壁面に取付ける取付手段と、フード本体背面の下部と壁面間の距離を調整できる姿勢調整金具ユニットを備え、前記姿勢調整金具ユニットは、前記フード本体の天面の壁面側両端に設けたＬ字型の板と、この板のＬ字型外側からの突出長さを調整できるようＬ字型内側から取り付けた調整ねじと、この調整ねじの先端と壁面の間には前記調整ねじ先端が前記壁面に直接接触しないように設けた緩衝板から構成されるものである。
【００３６】
この手段により、汎用的な構造で、姿勢を調整することができるレンジフードが得られる。
【発明の効果】
【００３７】
本発明によれば、薄型のフード本体と、このフード本体の上面に設置し内部に送風機を備えた送風機ユニットと、この送風機ユニットの上部を壁面に取付ける取付手段を備え、前記フード本体の背面下部には、フード本体を貫通するようねじ孔を設け、前記フード本体の背面からの突出長さを調整できるようフード本体内側から調整ねじを取り付け、この調整ねじ先端と前記壁面の間に前記調整ねじ先端が前記壁面に直接接触しないように緩衝板を設け、この緩衝板の前記調整ねじ先端に対応する部分を曲面としたことにより、調整ねじ先端が壁面に入り込むことなく、フード本体の姿勢を確実に調整することができるレンジフードを提供できる。
【００３８】
また、緩衝板を回転自在としたことにより、小さな締め付けトルクで調整ねじを締め付け、フード本体の姿勢を調整することができるレンジフードを提供できる。
【００３９】
また、緩衝板の一端をフード本体に取り付けたことにより、調整ねじ先端が壁面に入り込むことなく、かつ、調整ねじを市販のねじを使用して、フード本体の姿勢を確実に調整することができるレンジフードを提供できる。
【００４０】
また、緩衝板の、壁面との接触面に振動吸収材を取り付けたことにより、遠心送風機の運転による振動が、調整ねじ先端を通じて壁面に伝わり、振動音が発生することなく、フード本体の姿勢を確実に調整することができるレンジフードを提供できる。
【００４１】
また、フード本体の背面に、緩衝板が収納できる凹部を設けたことにより、調整ねじが緩められている場合に緩衝板がフード本体背面から出っ張らず、フード本体先端が上向きになることがなく、フード本体の姿勢を調整することができるレンジフードを提供できる。
【００４２】
また、フード本体の内側に調整ねじを隠す遮蔽板を設けたことにより、調理による油汚れが拭き取りにくくなることなく、フード本体の姿勢を調整することができるレンジフードを提供できる。
【００４３】
また、フード本体の背面下端に、前記フード本体の背面下端と壁面との隙間を埋めるための弾性体を貼り付けたことにより、フード本体背面と壁面との間の隙間を塞ぎ、外観を損なうことなく、フード本体の姿勢を調整することができるレンジフードを提供できる。
【００４４】
また、薄型のフード本体と、このフード本体の上面に設置し内部に送風機を備えた送風機ユニットと、この送風機ユニットの上部を壁面に取付ける取付手段を備え、前記フード本体の背面カバーは、上端にヒンジ部、下端に折り曲げ部を設け、この折り曲げ部が前記フード本体下面に沿って摺動することにより、フード本体背面と壁面との間の隙間を塞ぎ、外観を損なうことなく、フード本体の姿勢を調整することができるレンジフードを提供できる。
【００４５】
また、薄型のフード本体と、このフード本体の上面に設置し内部に送風機を備えた送風機ユニットと、この送風機ユニットの上部を壁面に取付ける取付手段と、フード本体背面の下部と壁面間の距離を調整できる姿勢調整金具ユニットを備え、前記姿勢調整金具ユニットは、前記フード本体の天面の壁面側両端に設けたＬ字型の板と、この板のＬ字型外側からの突出長さを調整できるようＬ字型内側から取り付けた調整ねじと、この調整ねじの先端と壁面の間には前記調整ねじ先端が前記壁面に直接接触しないように設けた緩衝板から構成されることにより、汎用的な構造で、姿勢を調整することができるレンジフードを提供できる。
【図面の簡単な説明】
【００４６】
【図１】本発明の実施の形態１のレンジフードの側面断面図
【図２】本発明の実施の形態１のレンジフードの背面側斜視図
【図３】本発明の実施の形態２のレンジフードの側面図
【図４】本発明の実施の形態２のレンジフードの背面側斜視図
【図５】本発明の実施の形態２のレンジフードの平面図
【図６】本発明の実施の形態３のレンジフードの側面図
【図７】本発明の実施の形態３のレンジフードの背面側斜視図
【図８】本発明の実施の形態４のレンジフードの側面断面図
【図９】本発明の実施の形態４のレンジフードの背面側斜視図
【図１０】従来のレンジフードを示す側面図
【図１１】従来のレンジフードを示す平面図
【発明を実施するための形態】
【００４７】
本発明のレンジフードは、薄型のフード本体と、このフード本体の上面に設置し内部に送風機を備えた送風機ユニットと、この送風機ユニットの上部を壁面に取付ける取付手段を備え、前記フード本体の背面下部には、フード本体を貫通するようねじ孔を設け、前記フード本体の背面からの突出長さを調整できるようフード本体内側から調整ねじを取り付け、この調整ねじ先端と前記壁面の間に前記調整ねじ先端が前記壁面に直接接触しないように緩衝板を設け、この緩衝板の前記調整ねじ先端に対応する部分を曲面としたことにより、調整ねじ先端が壁面に入り込むことなく、フード本体の姿勢を確実に調整することができる。
【００４８】
また、緩衝板を回転自在としたことにより、小さな締め付けトルクで調整ねじを締め付け、フード本体の姿勢を調整することができる。
【００４９】
また、緩衝板の一端をフード本体に取り付けたことにより、調整ねじ先端が壁面に入り込むことなく、かつ、調整ねじを市販のねじを使用して、フード本体の姿勢を確実に調整することができる。
【００５０】
また、緩衝板の、壁面との接触面に振動吸収材を取り付けたことにより、遠心送風機の運転による振動が、調整ねじ先端を通じて壁面に伝わり、振動音が発生することなく、フード本体の姿勢を確実に調整することができる。
【００５１】
また、フード本体の背面に、緩衝板が収納できる凹部を設けたことにより、調整ねじが緩められている場合に緩衝板がフード本体背面から出っ張らず、フード本体先端が上向きになることがなく、フード本体の姿勢を調整することができる。
【００５２】
また、フード本体の内側に調整ねじを隠す遮蔽板を設けたことにより、調理による油汚れが拭き取りにくくなることなく、フード本体の姿勢を調整することができる。
【００５３】
また、フード本体の背面下端に、前記フード本体の背面下端と壁面との隙間を埋めるための弾性体を貼り付けたことにより、フード本体背面と壁面との間の隙間を塞ぎ、外観を損なうことなく、フード本体の姿勢を調整することができる。
【００５４】
また、薄型のフード本体と、このフード本体の上面に設置し内部に送風機を備えた送風機ユニットと、この送風機ユニットの上部を壁面に取付ける取付手段を備え、前記フード本体の背面カバーは、上端にヒンジ部、下端に折り曲げ部を設け、この折り曲げ部が前記フード本体下面に沿って摺動することにより、フード本体背面と壁面との間の隙間を塞ぎ、外観を損なうことなく、フード本体の姿勢を調整することができる。
【００５５】
また、薄型のフード本体と、このフード本体の上面に設置し内部に送風機を備えた送風機ユニットと、この送風機ユニットの上部を壁面に取付ける取付手段と、フード本体背面の下部と壁面間の距離を調整できる姿勢調整金具ユニットを備え、前記姿勢調整金具ユニットは、前記フード本体の天面の壁面側両端に設けたＬ字型の板と、この板のＬ字型外側からの突出長さを調整できるようＬ字型内側から取り付けた調整ねじと、この調整ねじの先端と壁面の間には前記調整ねじ先端が前記壁面に直接接触しないように設けた緩衝板から構成されることにより、汎用的な構造で、姿勢を調整することができる。
【００５６】
以下、本発明の実施の形態について図面を参照しながら説明する。
【００５７】
（実施の形態１）
図１から図３に示すように、本発明のレンジフードは、薄型の箱体形状で下面が開放されたフード本体１と、箱体形状の送風機ボックス２と、遠心送風機３とからなり、送風機ボックス２の天面に固定されたＬ字型の吊金具４を、調理器（図示せず）の上方の壁面５に取付ねじ６で固定することにより設置されている。
【００５８】
遠心送風機３のファン吸込口７はフード本体１下面のフード吸込口８と連通する。ファン吸込口７とフード本体１下面のフード吸込口８間の通風路内には、調理物から発生した油分、水分等を捕集するためのグリスフィルター９を備える。送風機ボックス２上面には、ダクトアダプター１０を有し、遠心送風機３から排出された空気を屋外に排出するためのダクト（図示せず）を接続する。
【００５９】
フード本体１の背面にはフード本体１を貫通するねじ孔（図示せず）を設け、このねじ孔に対応するフード本体１の内部にナット１１が取り付けられており、このナット１１には、フード本体１の内側より調整ねじ１２が締め付けられ、調整ねじ１２先端と壁面５の間には、一端をフード本体１の背面外側にリベット１７で取り付けた緩衝板１３を設けている。
【００６０】
緩衝板１３と調整ねじ１２が接触する部分の形状は、壁面５側に凸となるような曲面となっており、壁面５側には防振ゴム１４が貼り付けられている。フード本体１背面のナット１１取付部は、調整ねじ１２が緩められている場合に緩衝板１３がフード本体１背面から出っ張らないよう、へこんだ凹形状となっている。フード本体１の背面には、伸縮可能なパッキン１５がフード本体１下端全幅にわたり貼り付けられている。
【００６１】
上記構成において、例えば、レンジフードが設置されている壁面５が傾いていることにより、フード本体１の先端が下がっている場合には、調整ねじ１２を締め付け、調整ねじ１２先端で緩衝板１３を押し、緩衝板１３がリベット１７の固定部を支点として変形して緩衝板１３で壁面５を押すことにより、フード本体１背面が壁面５から離れ、取付ねじ６を支点として、フード本体１先端が上に上がることになる。
【００６２】
フード本体１先端の上がり量は調整ねじ１２の締め付け量により調整できる。調整ねじ１２の締め付け量が少ない場合には、緩衝板１３がフード本体１背面から出っ張らず、フード本体１先端が上向きになることはない。
【００６３】
また、調整ねじ１２と壁面５の間に緩衝板１３があることにより、調整ねじ１２は特殊な形状のものではなく、市販のねじの場合でも、調整ねじ１２の先端が壁面５に入り込むことはない。
【００６４】
また、緩衝板１３は壁面５側に凸となるような曲面となっているため、緩衝板１３の端部と壁面５は接触せず、緩衝板１３の端部が壁面５に入り込むことはない。
【００６５】
また、パッキン１５により、フード本体１背面と壁面５の間にできる隙間を塞ぐことにより、外観を損なうこともない。
【００６６】
緩衝板１３は防振ゴム１４を介して壁面５と接触しているため、遠心送風機３運転時に生じる振動が壁面５に伝わり、振動音が発生するのも防止できる。フード本体１の傾きを調整した後、フード本体１内側に遮蔽板１６を取り付けることにより、ナット１１や調整ねじ１２を隠すことができ、汚れやすいフード本体１内面の掃除性も損なうことがない。
【００６７】
このように本発明の実施の形態１のレンジフードによれば、薄型のフード本体と、このフード本体の上面に設置し内部に送風機を備えた送風機ユニットと、この送風機ユニットの上部を壁面に取付ける取付手段を備え、前記フード本体の背面下部には、フード本体を貫通するようねじ孔を設け、前記フード本体の背面からの突出長さを調整できるようフード本体内側から調整ねじを取り付け、この調整ねじ先端と前記壁面の間に前記調整ねじ先端が前記壁面に直接接触しないように緩衝板を設け、この緩衝板の前記調整ねじ先端に対応する部分を曲面としたことにより、調整ねじ先端が壁面に入り込むことなく、フード本体の姿勢を確実に調整することができる。
【００６８】
また、緩衝板の一端をフード本体に取り付けたことにより、調整ねじ先端が壁面に入り込むことなく、かつ、調整ねじを市販のねじを使用して、フード本体の姿勢を確実に調整することができる。
【００６９】
また、緩衝板の、壁面との接触面に振動吸収材を取り付けたことにより、遠心送風機の運転による振動が、調整ねじ先端を通じて壁面に伝わり、振動音が発生することなく、フード本体の姿勢を確実に調整することができる。
【００７０】
また、フード本体の背面に、緩衝板が収納できる凹部を設けたことにより、調整ねじが緩められている場合に接触板がフード本体背面から出っ張らず、フード本体先端が上向きになることがなく、フード本体の姿勢を調整することができる。
【００７１】
また、フード本体の内側に調整ねじを隠す遮蔽板を設けたことにより、調理による油汚れが拭き取りにくくなることなく、フード本体の姿勢を調整することができる。
【００７２】
また、フード本体の背面下端に、前記フード本体の背面下端と壁面との隙間を埋めるための弾性体を貼り付けたことにより、フード本体背面と壁面との間の隙間を塞ぎ、外観を損なうことなく、フード本体の姿勢を調整することができる。
【００７３】
（実施の形態２）
図４及び図５において実施の形態１と異なるところは、緩衝板１３の一端がフード本体１背面にリベット１７で取り付けられているのではなく、調整ねじ１２の先端に回転可能に取り付けられていることである。
【００７４】
実施の形態１と同様の構成要素については同一の符号を付し、その詳細な説明は省略する。
【００７５】
上記構成において、調整ねじ１２を締め付けると、調整ねじ１２先端で緩衝板１３を押し、緩衝板１３で壁面５を押すことにより、実施の形態１と同様、フード本体１先端の上がり量を調整できる。
【００７６】
また、緩衝板１３は調整ねじ１２に対して回転可能に取り付けられているため、防振ゴム１４と壁面５の摩擦抵抗が大きく、緩衝板１３自体が回転しない場合でも、比較的小さいトルクで調整ねじ１２を回して締め付けることができる。
【００７７】
このように本発明の実施の形態２のレンジフードによれば、緩衝板を回転自在としたことことにより、小さな締め付けトルクで調整ねじを締め付け、フード本体の姿勢を調整することができる。
【００７８】
（実施の形態３）
図６及び図７において実施の形態１と異なるところは、緩衝板１３の幅をフード本体１の幅に合わせ、緩衝板１３上端にはヒンジ部１８を設け、緩衝板１３の下端には折り曲げ部１９を設け、折り曲げ部１９がフード本体下面に沿って摺動することである。
【００７９】
実施の形態１と同様の構成要素については同一の符号を付し、その詳細な説明は省略する。
【００８０】
上記構成において、調整ねじ１２を締め付けると、調整ねじ１２先端で緩衝板１３を押し、緩衝板１３がヒンジ部１８を支点として変形し、緩衝板１３で壁面５を押すことにより、実施の形態１と同様、フード本体１先端の上がり量を調整できる。また、フード本体１背面を壁面５の間に生じる隙間は、折り曲げ部１９で塞ぐことができる。折り曲げ部１９とフード本体１下面を同一材料の同一色としておけば、さらに外観を損なうことがない。
【００８１】
このように本発明の実施の形態３のレンジフードによれば、薄型のフード本体と、このフード本体の上面に設置し内部に送風機を備えた送風機ユニットと、この送風機ユニットの上部を壁面に取付ける取付手段を備え、前記フード本体の背面カバーは、上端にヒンジ部、下端に折り曲げ部を設け、この折り曲げ部が前記フード本体下面に沿って摺動することにより、フード本体背面と壁面との間の隙間を塞ぎ、外観を損なうことなく、フード本体の姿勢を調整することができる。
【００８２】
（実施の形態４）
図８及び図９において実施の形態２と異なるところは、姿勢の調整機構をフード本体１背面に設けるのではなく、ユニット化して、フード本体１上面に取り付けるようにしたことである。
【００８３】
実施の形態２と同様の構成要素については同一の符号を付し、その詳細な説明は省略する。
【００８４】
フード本体１の上面に、Ｌ字型の調整金具２０の１辺がフード本体１背面と面一となるよう、もう１辺を固定ねじ２１で取り付け、調整金具２０の壁面５側の面にはナット１１が取り付けられている。このナット１１には、壁面５の逆側から調整ねじ１２が締め付けられ、調整ねじ１２の先端には、緩衝板１３が調整ねじ１２に対して回転可能に取り付けられ、緩衝板１３の壁面５側には防振ゴム１４が貼り付けられている。調整金具２０のナット１１取付部は、調整ねじ１２が緩められている場合に緩衝板１３がフード本体１背面から出っ張らないよう、へこんだ形状となっている。
【００８５】
上記構成において、調整ねじ１２を締め付けると、実施の形態１と同様、締め付け量により、フード本体１先端の上がり量を調整でき、フード本体１の姿勢を調整することができる。
【００８６】
この形態の利点は、姿勢の調整機構を有していない同様な形状のレンジフードにおいても、本形態の、ユニット化した姿勢の調整機構を取り付けることにより、フード本体の姿勢を調整することができることである。
【００８７】
このように本発明の実施の形態４のレンジフードによれば、薄型のフード本体と、このフード本体の上面に設置し内部に送風機を備えた送風機ユニットと、この送風機ユニットの上部を壁面に取付ける取付手段と、フード本体背面の下部と壁面間の距離を調整できる姿勢調整金具ユニットを備え、前記姿勢調整金具ユニットは、前記フード本体の天面の壁面側両端に設けたＬ字型の板と、この板のＬ字型外側からの突出長さを調整できるようＬ字型内側から取り付けた調整ねじと、この調整ねじの先端と壁面の間には前記調整ねじ先端が前記壁面に直接接触しないように設けた緩衝板から構成されることにより、汎用的な構造で、姿勢を調整することができる。
【産業上の利用可能性】
【００８８】
本発明は、薄型のフードと薄型フード上面に送風機ユニットを設けたレンジフードの姿勢調整機構として有効である。
【符号の説明】
【００８９】
１      フード本体
２      送風機ボックス
３      遠心送風機
４      吊金具
５      壁面
６      取付ねじ
７      ファン吸込口
８      フード吸込口
９      グリスフィルター
１０    ダクトアダプター
１１    ナット
１２    調整ねじ
１３    緩衝板
１４    防振ゴム
１５    パッキン
１６    遮蔽板
１７    リベット
１８    ヒンジ部
１９    折り曲げ部
２０    調整金具
２１    固定ねじ
１０１  フード本体
１０２  送風機ボックス
１０３  遠心送風機
１０４  吊金具
１０５  壁面
１０６  取付ねじ
１０７  背面板
１０８  ナット
１０９  調整ねじ
【図１】
0005577833.tif 000002
【図２】
0005577833.tif 000003
【図３】
0005577833.tif 000004
【図４】
0005577833.tif 000005
【図５】
0005577833.tif 000006
【図６】
0005577833.tif 000007
【図７】
0005577833.tif 000008
【図８】
0005577833.tif 000009
【図９】
0005577833.tif 000010
【図１０】
0005577833.tif 000011
【図１１】
0005577833.tif 000012